(57)【要約】【課題】  電気設備における電気的に接続された相の確認、相短絡、対地間の不導通、異電源混触等の検査を、簡単な操作で短時間に完了でき、小型で携行容易な導通チェッカーを提供する。【解決手段】  本体１に電源及び演算機能を内蔵し、電源接続状態判断、対地間不導通状態判断、異電源混触状態判断、検出信号切替判断、相間短絡状態判断、検出相判断及び、これらの結果表示、結果音出力機能を有しており、通常は直流信号で検出を行い、交流回路では自動的に交流信号に切り替り、補助変圧器及び開閉器のコイル等の端子を外すことなく導通確認ができ、４相検出できる相検出リード線が２組接続でき、他方に検出結果表示及び、検出完了音を発生するブザーを設けた確認ユニット４がケーブル４ａにより接続され、また対地間不導通検査ができ、単相、３相、４相の配線回路の導通チェックが共通化され、検出作業は確認する端子に接触させるだけの統一された作業を可能とする。【選択図】        図２
2005214817.tif 000002
【特許請求の範囲】
【請求項１】
電源接続状態、相検出、相間短絡及び、対地間不導通演算機能を持った本体（１）に相検出信号を出力する検出端子（８）、検出結果を表示する表示器（６）及び、検出完了音を発生するブザー（７）を設けた確認ユニット（４）を信号ケーブルで接続され、本体に相検出リード線（２）、（３）を接続することができると共に、対地間不導通検出用接地線（５）が接続でき、本体（１）の内部には検出用電源を内蔵し、演算機能を有し、電源接続状態判断、対地間不導通状態判断、異電源混触状態判断、検出信号切替判断、相間短絡状態判断、検出相判断及び、これらの結果表示及び結果音出力機能を持ち、通常は直流信号で検出を行い、補助変圧器及び開閉器のコイル等が接続された回路では、自動的に交流信号に切り替わり、補助変圧器及び開閉器のコイル等の端子を外すことなく導通確認ができることを特徴とする導通チェッカー。
【請求項２】
相検出リード線（２）、（３）を２本接続することにより、異電源混触検出を可能としたことを特徴とする請求項１に記載の導通チェッカー。
【請求項３】
相検出リード線（２）、（３）を各４相検出可能としたことにより、電気設備の配線回路が、単相、３相、４相、の導通チェックが共通化でき、複雑な操作なく、検出作業は、確認する端子に接触させるだけの統一された作業を可能としたことを特徴とする導通チェッカー。
【発明の詳細な説明】
【技術分野】
【０００１】
本発明は電気設備における、電気的に接続された相の確認、相短絡、対地間の不導通、異電源混触を検査する導通チェッカーに関するものである。
【背景技術】
【０００２】
従来、電気設備に於いては、器具間を接続した配線の相確認や、配線間及び器具の相短絡確認は、クリップを先端に設けた電源内蔵の導通ブザーを検査する端子間を接続又は接触させることにより、ブザー音が鳴るかならないかで、判定していた。または、専用導通チェッカーによる、各端子間の不導通確認及び、対地間の不導通確認を行っていた。これらの導通チェッカーは検出信号に直流を使用している為、確認回路に補助変圧器、開閉器のコイル等が接続されていると、導通状態となり誤動作することがあった。そのため、補助変圧器、開閉器のコイル等の端子を外して確認する必要があった。また、専用導通チェッカーは４相対応ができない為、前記による導通ブザーの確認によっていた。電気設備の、配線確認をする為には、接続点の組み合わせの検査が必要であり、作業が煩雑で時間がかかる問題点があった。また、電気設備の、電気系統が２種ある場合の、混触確認はさらに作業が煩雑で時間がかかる問題点があった。
【特許文献１】特開平９−３３５９３
【発明の開示】
【発明が解決しようとする課題】
【０００３】
本発明は前記のような問題を解決し、小型で携行が容易な上、操作が簡単で短時間に検査を完了することができる導通チェッカーを提供することにある。
【課題を解決するための手段】
【０００４】
本発明は、本体に電源及び演算機能を内蔵し、電源接続状態判断、対地間不導通状態判断、異電源混触状態判断、検出信号切替判断、相間短絡状態判断、検出相判断及び、これらの結果表示及び結果音出力機能を有しており、４相検出できる相検出リード線が２組接続できる構造を持ち、他方に検出結果表示及び、検出完了音を発生するブザーを設けた確認ユニット４がケーブル４ａにより接続されている。また、対地間不導通検査ができるように接地線が接続できるようにしたことを特徴とするものである。
【発明の効果】
【０００５】
本発明の効果は前記説明によって明らかのように、本体に接続している相検出リード線を電気設備の電源最上位部に接続し、接地線を接地母線もしくは金属フレームに接続すれば、あとは、確認ユニット先端の検出端子を、確認したい電気設備の端子に接触させるだけで、相確認、相間短絡、異電源混触、対地間導通の状態確認が瞬時に検出できその結果を表示及び状態音で判断が容易にできるようになった。また、検出パルスを、直流と交流を使い分けることで、回路の接続状態の把握及び、補助変圧器、開閉器のコイル等を接続したままで、同時に各相、異電源間及び、対地間導通状態を確認することにより、相確認、相間短絡、異電源混触、対地間不導通の状態確認のための作業が配線接続状態で同時確認できる。また、電源を内蔵したことにより、携行が容易なうえ、電源のないところでも、相確認、相間短絡、異電源混触、対地間不導通導通の状態確認ができる等の多くの利点を有する。従って、本発明は、従来の問題点を解決した導通チェッカーとして、業界の発展に寄与するところ大なものである。
【発明を実施するための最良の形態】
【０００６】
図１は本発明の実施形態の一例を示すものである。また、図２は実施例の外部回路・内部機能ブロック図を示し、図３は演算機能内容をフローで表したものを示す。
図１において、１は電源１ａ及ぶ演算部を内蔵した本体であり、２はＡ電源３はＢ電源の４相検出できる相検出リード線であり、脱着可能である。異電源混触検出が不要な設備では、相検出リード線２または３を外して使用することもできる。また、４は確認ユニットであり、ケーブル４ａで本体と接続されている。確認ユニット４はその先端に各相検出のための検出端子８と確認結果を表示する表示器６、及び確認結果を音で知らせるブザー７を設けている。また、５は対地間不導通確認接地線である。
【０００７】
このように構成されたものは、電気設備において配線完了後の状態において、相検出リード線（Ａ電源）２をＡ電源最上部位に２ａを第１相、２ｂを第２相、２ｃを第３相、２ｄを第４相に接続する。異電源混触検出する場合は相検出リード線（Ｂ電源）３を２と同様にＢ電源最上部位に相を合わせて接続する。次に接地線５を接地母線もしくは電気設備の金属フレームに接続する。この状態で、確認ユニット４の先端の検出端子８を、検査したい端子に接触すれば、確認できる。
【０００８】
本装置は上記のように接続した状態において、電源ＳＷ１ｂをＯＮにすると、直流検出パルスを発生し、一定時間後に接地線５より接続状態確認信号を出力する。このとき、相検出リード線（A電源）２または相検出リード線（B電源）３において、２相以上検出時は電源変圧器が接続状態または、対地間不導通異常として、表示器６に「電源接続状態異常」を表示すると共に、異常を知らせる為ブザー７が、一定の連続音を発生する。
【０００９】
上記の状態で、相検出がされなかった場合、検出スタンバイ状態になる。この状態で、検出端子８を電気設備の確認したい端子に接触させると、直流検出パルスは検出端子８を通り、電気設備の配線を通り、相検出リード線（A電源）２または相検出リード線（B電源）３を通じて、相検出確認できる。演算部では、相検出が１相であればその「相」を表示器６に表示を行うと共に、ブザー７による確認結果音として単発音を発生する。電気設備の絶縁が悪く、対地間と導通状態の場合は、接地線５を通じて対地間導通が検出される。この場合は、対地間は導通状態にあると異常判断し表示器に「対地間導通」を表示する。また、相検出リード線（A電源）２と相検出リード線（B電源）３が同時に検出された場合は、異電源混触状態にあると異常判断し、表示器６に「異電源混触」を表示する。なお、異常確認結果音は異常を知らせる為ブザー７を、一定の連続音を発生する。これらの処理は短時間に処理され、検出結果を表示及び、音で効果的に判断することができる。
【００１０】
さらに、上記状態において、同一検出リード線が２相以上検出すれば、検出相に補助変圧器、開閉器のコイル等が接続されていると判断し、交流検出モードに自動的に切り替わる。このとき切り替わることを知らせる為に、表示器６に「交流モード」に切り替わる表示と共に、連続単発音をブザー７より発生し、一定時間後に、交流検出パルス信号を検出端子８より出力する。交流検出パルスにすることにより、補助変圧器、開閉器のコイル等はインピーダンスが大きくなることにより、相間導通はなくなり、補助変圧器、開閉器のコイル等を外すことなく相検出ができる。以下、検出結果の判断、表示、結果音は上記と同じである。また、交流検出パルス信号に切り替わっても同一検出リード線が、２相以上検出した場合は、相間短絡状態にあると判断し、表示器６に「相短絡表示」をする。なお、異常確認結果音は異常を知らせる為ブザー７を、一定の連続音を発生する。
【図面の簡単な説明】
【００１１】
【図１】本発明の実施例を示す斜視図である。
【図２】本発明の実施例の外部回路・内部ブロック図である。
【図３】本発明の実施例の演算フローである。
【符号の説明】
【００１２】
１  本体
２  相検出リード線（Ａ電源）
３  相検出リード線（Ｂ電源）
４  確認ユニット
５  接地線
６  表示器
７  ブザー
８  検出端子
【図１】
2005214817.tif 000003
【図２】
2005214817.tif 000004
【図３】
2005214817.tif 000005